(57)【要約】【課題】ユーザの好みに合わせて起動することができる映像表示装置及びこれの起動方法を提供する。【解決手段】実施形態によれば、映像表示装置は、第１の制御手段と、第１の記憶手段とを備える。前記第１の制御手段は、リモートコントローラに設けられた電源ボタン以外のボタンと、ユーザにより設定された当該映像表示装置の起動モードとを対応付ける。前記第１の記憶手段は、前記第１の制御手段で対応付けられた情報を保存する。【選択図】図３
2014127849.tif 000002
【特許請求の範囲】
【請求項１】
リモートコントローラに設けられた電源ボタン以外のボタンと、ユーザにより設定された当該映像表示装置の起動モードとを対応付ける第１の制御手段と、
前記第１の制御手段で対応付けられた情報を保存する第１の記憶手段と、
を備える映像表示装置。
【請求項２】
前記第１の制御手段は、当該映像表示装置がスタンバイ状態であって、前記電源ボタン以外の第１のボタンが押下され、その後に前記電源ボタンが押下された場合、前記第１のボタンに対応付けられた起動モードで当該映像表示装置を起動する、請求項１記載の映像表示装置。
【請求項３】
前記第１の制御手段は、前記第１のボタンが押下されてから第１の時間以内に前記電源ボタンが押下された場合、前記第１のボタンに対応付けられた起動モードで当該映像表示装置を起動する、請求項２記載の映像表示装置。
【請求項４】
前記第１の制御手段は、前記第１の時間経過後に前記電源ボタンが押下された場合、当該映像表示装置がスタンバイ状態になった直前の動作モードで当該映像表示装置を起動する、請求項３記載の映像表示装置。
【請求項５】
前記第１のボタンが押下されてから前記電源ボタンが押下されるまで報知する報知手段を備える、請求項３記載の映像表示装置。
【請求項６】
前記第１の制御手段は、前記電源ボタン以外の複数のボタンの並びと、ユーザにより設定された当該映像表示装置の起動モードとを対応付ける、請求項１記載の映像表示装置。
【請求項７】
前記第１の制御手段は、当該映像表示装置の起動時に、前記第１のボタンに対応付けられたユーザを特定し、特定されたユーザの視聴履歴に応じたチャンネルの番組をディスプレイに表示する、請求項２記載の映像表示装置。
【請求項８】
前記電源ボタンが押下されたか否かを判断し、前記電源ボタンが押下されたと判断した場合に前記第１の制御手段を起動する第２の制御手段と、
前記第２の制御手段が前記電源ボタンが押下されていないと判断した場合、押下された前記第１のボタンの情報を保存する第２の記憶手段と、
を備える、請求項４記載の映像表示装置。
【請求項９】
前記第２の制御手段は、前記第１の時間以内に前記電源ボタンが押下されたと判断した場合、前記第２の記憶手段に保存されている前記第１のボタンの情報を前記第１の制御手段に供給する、請求項８記載の映像表示装置。
【請求項１０】
リモートコントローラに設けられた電源ボタン以外のボタンと、ユーザにより設定された映像表示装置の起動モードとを対応付け、
前記映像表示装置がスタンバイ状態であって、前記電源ボタン以外の第１のボタンが押下され、その後に前記電源ボタンが押下された場合、前記第１のボタンに対応付けられた起動モードで前記映像表示装置を起動する、
起動方法。
【発明の詳細な説明】
【技術分野】
【０００１】
本実施形態は、映像表示装置及びこれの起動方法に関する。
【背景技術】
【０００２】
テレビジョン受信機は、起動状態からスタンバイ状態に遷移する際、遷移直前の動作モード（例えば、音量、チャンネルなど）を保持する。通常、ユーザは、スタンバイ状態のテレビジョン受信機を起動する場合、リモートコントローラ（以下、リモコンという）の電源ボタンを押下する。そうすると、テレビジョン受信機は、スタンバイ状態から起動状態に遷移する際に、保持している動作モードで起動する。
【先行技術文献】
【特許文献】
【０００３】
【特許文献１】特開平６−２５６４５７号公報
【発明の概要】
【発明が解決しようとする課題】
【０００４】
しかしながら、テレビジョン受信機が保持している動作モードのまま起動することは、必ずしもユーザにとって好都合とは言えない。例えば、ユーザは、テレビジョン受信機を起動した後に、所望のチャンネル、音量等を設定するために、リモコンのボタンを複数回押下する煩わしい操作をしなくてはならない。また、テレビジョン受信機は、深夜にも関わらず、大音量の動作モードのままで起動してしまう可能性がある。
【０００５】
このような不都合を解消するために、テレビジョン受信機を起動する際の起動モードを入力可能なハードウェアリソースをリモコンに追加することが考えられる。しかしながら、ハードウェアリソースの追加は、コスト面、サイズ面を考慮すると、好ましくない。
【０００６】
本発明の目的は、ユーザの好みに合わせて起動することができる映像表示装置及びこれの起動方法を提供することである。
【課題を解決するための手段】
【０００７】
実施形態によれば、映像表示装置は、第１の制御手段と、第１の記憶手段とを備える。前記第１の制御手段は、リモートコントローラに設けられた電源ボタン以外のボタンと、ユーザにより設定された当該映像表示装置の起動モードとを対応付ける。前記第１の記憶手段は、前記第１の制御手段で対応付けられた情報を保存する。
【図面の簡単な説明】
【０００８】
【図１】実施形態に係る一例となるテレビジョン受信機を概略的に示すブロック図。
【図２】実施形態に係る一例となるリモコンの外観図。
【図３】実施形態に係る一例となるリモコンの電源ボタン以外のボタンに起動モードを割り当てる処理のフローチャート。
【図４】実施形態に係る一例となる割り当て設定画面図。
【図５】実施形態に係る一例となるテレビジョン受信機の起動処理のフローチャート。
【図６】実施形態に係る一例となる起動処理を説明する図。
【発明を実施するための形態】
【０００９】
以下、図面を参照して本実施形態について説明する。図１は、実施形態に係る一例となるテレビジョン受信機１（映像表示装置）を概略的に示すブロック図である。図２は、実施形態に係る一例となるリモコン２の外観図である。テレビジョン受信機１は、メインマイクロコンピュータ１０１、メモリユニット１０２、ＬＡＮ(Local Area Network)端子１０３、受光部１０４、サブマイクロコンピュータ１０５、ＬＥＤ(Light Emitting Diode)ユニット１０６、チューナ１０７、ストリームプロセッサ１０８、第１のＨＤＭＩ(High Definition Multimedia Interface)端子１０９、第２のＨＤＭＩ端子１１０、入力切替部１１１、映像音声出力部１１２、ディスプレイ１１３、スピーカ１１４を備える。
【００１０】
メインマイクロコンピュータ（制御手段）１０１は、テレビジョン受信機１内の各要素の動作を制御する。メインマイクロコンピュータ１０１は、リモコン３で押下されたボタン（キー）に対応する情報であるキーコードに応じて、例えば、チャンネル切替、音量調整などを制御する。メインマイクロコンピュータ１０１は、テレビジョン受信機１がスタンバイ状態にあるときには、動作を停止するマイクロコンピュータである。本実施形態では、スタンバイ状態とは、後述するようにサブマイクロコンピュータ１０５のみが動作し、テレビジョン受信機１の他の要素の動作が停止している状態をいうものとする。メインマイクロコンピュータ１０１が動作している状態を起動状態というものとする。
【００１１】
メモリユニット１０２は、メインマイクロコンピュータ１０１が実行する制御プログラムを格納するＲＯＭ、各種情報を保存する不揮発性メモリなどを備える。メモリユニット１０２は、メインマイクロコンピュータ１０１によって情報が保存され、または、メインマイクロコンピュータ１０１によって情報が読み出される。  
ＬＡＮ端子１０３は、ＬＡＮを介してインターネットと接続するための端子である。ＬＡＮ端子１０３を介したインターネットからの情報は、メインマイクロコンピュータ１０１に供給される。  
受光部１０４は、テレビジョン受信機１を制御するためのリモコン３で押下されたボタンに対応するキーコードを受信するインターフェースである。受光部１０４は、キーコードをサブマイクロコンピュータ１０５に供給する。
【００１２】
サブマイクロコンピュータ（制御手段）１０５は、テレビジョン受信機１がスタンバイ状態にあるときであっても起動しているマイクロコンピュータである。つまり、サブマイクロコンピュータ１０５は、テレビジョン受信機１がスタンバイ状態にあるときであっても、リモコン３に設けられたボタンの押下を待ち受ける。ここで、リモコン３は、図２に示すように、テレビジョン受信機１を起動状態にするための電源ボタン３０１、チャンネルボタン３０２など、ユーザが押下可能な複数のボタンを備える。テレビジョン受信機１が起動状態にあるときには、サブマイクロコンピュータ１０５は、受信したキーコードをメインマイクロコンピュータ１０１に供給する。一方、テレビジョン受信機１がスタンバイ状態にあるときには、サブマイクロコンピュータ１０５は、電源ボタンに対応するキーコードを受信すると、動作を停止しているメインマイクロコンピュータ１０１に起動命令を送信し、メインマイクロコンピュータ１０１を起動する。さらに、テレビジョン受信機１がスタンバイ状態にあるときには、サブマイクロコンピュータ１０５は、電源ボタンに対応するキーコード以外のキーコード、つまりリモコン３の電源ボタン３０１以外のボタンに対応するキーコードを受信すると、サブマイクロコンピュータ１０５が備えるバッファ１０５１にこのキーコードを保存する。サブマイクロコンピュータ１０５は、バッファ１０５１が保存するリモコン３の電源ボタン３０１以外のボタンに対応するキーコードを、後述するように、所定条件に基づいてメインマイクロコンピュータ１０１に供給する。なお、サブマイクロコンピュータ１０５は、計時するタイマー１０５２も備える。
【００１３】
ＬＥＤユニット（報知手段）１０６は、サブマイクロコンピュータ１０５またはメインマイクロコンピュータ１０１の制御により点灯、消灯または点滅するインジケータである。例えば、ＬＥＤユニット１０６が単色のＬＥＤのみを備える場合、ＬＥＤユニット１０６は、テレビジョン受信機１がスタンバイ状態にあるときには消灯し、テレビジョン受信機１が起動状態にあるときには点灯する。例えば、ＬＥＤユニット１０６が赤色及び青色などの複数色のＬＥＤを備える場合、ＬＥＤユニット１０６は、テレビジョン受信機１がスタンバイ状態にあるときには赤色のＬＥＤを点灯し、テレビジョン受信機１が起動状態にあるときには青色のＬＥＤを点灯する。
【００１４】
チューナ１０７は、デジタル放送受信用チューナである。チューナ１０７は、アンテナ２で受信したデジタル放送信号を、ユーザ操作に基づいて選局する。チューナ１０７はデジタル放送信号を復調し、ストリームプロセッサ １０８に供給する。  
ストリームプロセッサ１０８は、復調されたデジタル放送信号から様々なデジタル信号を取り出し、映像信号及び音声信号を入力切替部１１１に供給する。  
第１のＨＤＭＩ端子１０９及び第２のＨＤＭＩ端子１１０は、ＨＤＭＩケーブルを介してテレビジョン受信機１に外部機器（例えば、ゲーム機、ＤＶＤプレーヤなど）を接続可能な外部入力端子である。  
第１のＨＤＭＩ端子１０９または第２のＨＤＭＩ端子１１０を介した外部機器からの映像信号及び音声信号は、入力切替部１１１に供給される。  
入力切替部１１１は、ユーザ操作に基づいて信号選択動作を実行する。つまり、入力切替部１１１は、選択されたいずれか１つの信号の入力元（外部機器、放送波）の映像信号及び音声信号を映像音声出力部１１２に供給する。
【００１５】
映像音声出力部１１２は、映像信号をディスプレイ１１３で表示可能なフォーマットの映像信号に変換し、ディスプレイ１１３の画面サイズ合わせて適切に調整する。映像音声出力部１１２は、ディスプレイ１１３に映像信号を供給する。  ディスプレイ１１３は、映像信号に基づいて画面に映像を表示する。なお、映像音声出力部１１２は、文字、図形等のキャラクタのオンスクリーン表示機能を備えていてもよい。映像音声出力部１１２は、メインマイクロコンピュータ１０１のオンスクリーン表示制御により、キャラクタ信号を発生する。映像音声出力部１１２は、キャラクタ信号を映像信号に重畳し、キャラクタをディスプレイ１１３にオンスクリーン表示する。さらに、映像音声出力部１１２は、音声信号をスピーカ１１４で再生可能なフォーマットの音声信号に音響処理して増幅する。映像音声出力部１１２は、スピーカ１１４に音声信号（ステレオのＬ信号及びＲ信号）を供給する。  スピーカ１１４は、音声信号に基づいて音声を出力する。なお、映像音声出力部１１２は、ユーザ操作に基づくメインマイクロコンピュータ１０１の制御によって動作する映像ミュート回路を備えていてもよい。映像音声出力部１１２は、ミュート時には映像ミュート回路を起動し、ディスプレイ１１３の画面を単一色（ 例えば、ブルーバック） にし、本来の映像信号を表示しないようにしてもよい。
【００１６】
次に、リモコン３の電源ボタン３０１以外のボタンに対する起動モードの割り当て設定（以下、単に割り当て設定という）について図３、４を用いて説明する。本実施形態では、起動モードとは、テレビジョン受信機１がスタンバイ状態から起動状態に遷移する際のテレビジョン受信機１の動作設定（主として映像表示及び音声出力に関する動作設定）をいうものとする。ユーザは、割り当て設定を事前に行う。図３は、実施形態に係る一例となる割り当て設定の処理のフローチャートである。図４は、実施形態に係る一例となる割り当て設定画面図４０である。
【００１７】
メインマイクロコンピュータ１０１は、割り当て設定の要求を受信したか否かを判断する（Ｂｌｏｃｋ１００１）。割り当て設定の要求は、ユーザのリモコン３の操作に基づく設定メニュー等に用意された割り当て設定の選択によって発生する。メインマイクロコンピュータ１０１が割り当て設定の要求を受信しない場合（Ｂｌｏｃｋ１００１、Ｎｏ）、Ｂｌｏｃｋ１００１に戻って、メインマイクロコンピュータ１０１は、割り当て設定の要求を待つ。メインマイクロコンピュータ１０１が割り当て設定の要求を受信した場合（Ｂｌｏｃｋ１００１、Ｙｅｓ）、メインマイクロコンピュータ１０１は、割り当て設定画面４０を起動してディスプレイ１１３に表示する（Ｂｌｏｃｋ１００２）。
【００１８】
割り当て設定画面４０は、図４に示すように、割り当てボタンの設定（選択）ボックス４０１、音量の設定ボックス４０２、明るさの設定ボックス４０３、チャンネルの設定ボックス４０４、パレンタルロックの設定ボックス４０５を含む。割り当てボタンの設定ボックス４０１は、所望の起動モードを割り当てる対象となるリモコン３の電源ボタン３０１以外のボタンを設定するボックスである。つまり、リモコン３の電源ボタン３０１以外のボタンは、テレビジョン受信機１が起動状態にある時の役割とは別の役割をテレビジョン受信機１がスタンバイ状態にある時に割り当てられる。なお、割り当てる対象となるリモコン３の電源ボタン３０１以外のボタンの設定は、例えば、「２」ボタンのような単一のボタンの設定であるが、これに限定されない。割り当てる対象となるリモコン３の電源ボタン３０１以外のボタンの設定は、他の例として、「２」ボタン、「３」ボタン、「１」ボタン、「４」ボタンのような複数個連続するボタンの並びの設定であってもよい。音量の設定ボックス４０２は、起動モードとしてスピーカ１１４から出力する音量を設定するボックスである。明るさの設定ボックス４０３は、起動モードとしてディスプレイ１１３に表示する映像の明るさを設定するボックスである。チャンネルの設定ボックス４０４は、起動モードとしてディスプレイ１１３に表示する映像のチャンネルを設定するボックスである。なお、チャンネルの設定ボックス４０４は、放送波のチャンネル以外に、外部機器からの入力を取り込む外部入力（例えば、第１のＨＤＭＩ端子１０９または第２のＨＤＭＩ端子１１０）も設定可能に拡張してもよい。なお、チャンネルの設定ボックス４０４は、特定のチャンネルを設定せずに、メインマイクロコンピュータ１０１が任意に設定するおまかせ設定も設定可能に拡張してもよい。パレンタルロックの設定ボックス４０５は、起動モードとして視聴年齢制限機能をＯＮまたはＯＦＦするか否かを設定するボックスである。
【００１９】
ユーザは、割り当て設定画面４０上で、割り当てボタンに対して所望の起動モードの設定を入力できる。ユーザは、割り当て設定画面４０上で異なる割り当てボタンに対して異なる起動モードを設定できる。図４に示す例では、割り当てボタンである「２」ボタンは、任意の音量、任意の明るさ、チャンネル００１、パレンタルロックＯＮが設定された起動モードが割り当てられる。なお、割り当て設定では、割り当てボタンの設定ボックス４０１は必須であるが、設定ボックス４０２〜４０５は、一例であり、テレビジョン受信機１の動作に関する設定であればよく、限定されない。つまり、割り当て設定画面４０は、割り当てボタンの設定ボックス４０１以外に、少なくとも１つのテレビジョン受信機１の動作に関して設定するための設定ボックスを含んでいればよい。
【００２０】
メインマイクロコンピュータ１０１は、ユーザによる割り当て設定の入力が終了したか否かを判断する（Ｂｌｏｃｋ１００３）。メインマイクロコンピュータ１０１が割り当て設定の入力が終了していないと判断した場合（Ｂｌｏｃｋ１００３、Ｎｏ）、Ｂｌｏｃｋ１００３に戻って、メインマイクロコンピュータ１０１は、割り当て設定の入力の終了を待つ。メインマイクロコンピュータ１０１が割り当て設定の入力が終了したと判断した場合（Ｂｌｏｃｋ１００３、Ｙｅｓ）、メインマイクロコンピュータ１０１は、割り当て設定をメモリユニット１０２に保存する。つまり、メインマイクロコンピュータ１０１は、リモコン３に設けられた電源ボタン３０１以外のボタンと、ユーザにより設定されたテレビジョン受信機１の起動モードとを対応付ける。例えば、メインマイクロコンピュータ１０１は、リモコン３の電源ボタン３０１以外の１つのボタンと、ユーザにより設定されたテレビジョン受信機１の起動モードとを対応付ける。例えば、メインマイクロコンピュータ１０１は、リモコン３の電源ボタン３０１以外の複数個連続するボタンの並びと、ユーザにより設定されたテレビジョン受信機１の起動モードとを対応付ける。メモリユニット１０２は、メインマイクロコンピュータ１０１によって対応付けられた１以上の割り当て設定に関する情報を保存する。起動モードは、例えば、音量の設定ボックス４０２を小音または消音に設定したマナーモード、チャンネルの設定ボックス４０４をゲーム機が接続された外部入力端子に設定したゲームモードなど、ユーザの嗜好に合わせて設定できる。
【００２１】
次に、スタンバイ状態にあるテレビジョン受信機１が起動状態に遷移する際の動作について説明する。図５は、実施形態に係る一例となるテレビジョン受信機１の起動処理のフローチャートである。ここでは、テレビジョン受信機１は、スタンバイ状態にあるものとする。
【００２２】
サブマイクロコンピュータ１０５は、リモコン３のボタンが押下されたか否かを判断（確認）する（Ｂｌｏｃｋ２００１）。Ｂｌｏｃｋ２００１では、例えば、サブマイクロコンピュータ１０５は、受光部１０４からキーコードが供給されたか否かに基づいて、リモコン３のボタンが押下されたか否かを判断する。サブマイクロコンピュータ１０５がリモコン３のボタンが押下されていないと判断した場合（Ｂｌｏｃｋ２００１、Ｎｏ）、Ｂｌｏｃｋ２００１に戻って、サブマイクロコンピュータ１０５は、リモコン３のボタンの押下を待つ。サブマイクロコンピュータ１０５がリモコン３のボタンが押下されたと判断した場合（Ｂｌｏｃｋ２００１、Ｙｅｓ）、サブマイクロコンピュータ１０５は、押下されたボタンが電源ボタン３０１であるか否かを判断する（Ｂｌｏｃｋ２００２）。Ｂｌｏｃｋ２００２では、例えば、サブマイクロコンピュータ１０５は、押下されたボタンに対応するキーコードが電源ボタン３０１に対応するキーコードに一致するか否かを判断することで、押下されたボタンが電源ボタン３０１であるか否か、つまり、電源ボタン３０１が押下されたか否かを判断する。
【００２３】
サブマイクロコンピュータ１０５が押下されたボタンが電源ボタン３０１であると判断した場合（Ｂｌｏｃｋ２００２、Ｙｅｓ）、メインマイクロコンピュータ１０１は、テレビジョン受信機１をスタンバイ状態から起動状態に遷移させる際に、通常の起動モードでテレビジョン受信機１を起動処理する（Ｂｌｏｃｋ２００３）。本実施形態では、通常の起動モードとは、今回の起動前にテレビジョン受信機１が起動状態からスタンバイ状態に遷移した直前（以降、ラストの状態という）のテレビジョン受信機１の動作モード（例えば、音量、明るさ、チャンネル、パレンタルロックのＯＮ／ＯＦＦなどの主として映像表示及び音声出力に関する動作設定）をいうものとする。つまり、テレビジョン受信機１は、スタンバイ状態から起動状態に遷移する際に、ラストの状態の動作モードでディスプレイ１１３に映像を表示し、スピーカ１１４から音声を出力する。なお、Ｂｌｏｃｋ２００２においてサブマイクロコンピュータ１０５が電源ボタン３０１が押下されたか否かを判断し、電源ボタン３０１が押下されたと判断した場合に、サブマイクロコンピュータ１０５は、動作を停止しているメインマイクロコンピュータ１０１を起動する。したがって、Ｂｌｏｃｋ２００３では、メインマイクロコンピュータ１０１は、サブマイクロコンピュータ１０５から起動命令を受信することで起動し、サブマイクロコンピュータ１０５からリモコン３の電源ボタン３０１以外のボタンに対応するキーコードが送信されていないことを確認することで、通常の起動モードでテレビジョン受信機１を起動処理する。
【００２４】
サブマイクロコンピュータ１０５が押下されたボタンが電源ボタン３０１でない（つまり、リモコン３の電源ボタン３０１以外のボタンである）と判断した場合（Ｂｌｏｃｋ２００２、Ｎｏ）、サブマイクロコンピュータ１０５は、押下されたリモコン３の電源ボタン３０１以外のボタンに対応するキーコードをバッファ１０５１に保存する（Ｂｌｏｃｋ２００４）。サブマイクロコンピュータ１０５は、タイマー１０５２を参照して、最初にリモコン３の電源ボタン３０１以外のボタンが押下された時から一定時間Ｔ（例えば数秒程度）が経過したか否かを判断する（Ｂｌｏｃｋ２００５）。Ｂｌｏｃｋ２００５では、サブマイクロコンピュータ１０５は、最初にリモコン３の電源ボタン３０１以外のボタンの押下を検出した時から一定時間Ｔが経過したか否かを判断することで、最初にリモコン３の電源ボタン３０１以外のボタンが押下された時から一定時間Ｔが経過したか否かを判断する。
【００２５】
サブマイクロコンピュータ１０５が一定時間が経過していないと判断した場合（Ｂｌｏｃｋ２００５、Ｎｏ）、サブマイクロコンピュータ１０５は、一定時間内にリモコン３のボタンが押下されたか否かを判断する（Ｂｌｏｃｋ２００６）。Ｂｌｏｃｋ２００６では、サブマイクロコンピュータ１０５は、Ｂｌｏｃｋ２００１と同様にリモコン３のボタンの押下を判断してもよい。サブマイクロコンピュータ１０５がリモコン３のボタンが押下されていないと判断した場合（Ｂｌｏｃｋ２００６、Ｎｏ）、Ｂｌｏｃｋ２００５に戻って、サブマイクロコンピュータ１０５は、一定時間が経過したか否かを判断する。サブマイクロコンピュータ１０５がリモコン３のボタンが押下されたと判断した場合（Ｂｌｏｃｋ２００６、Ｙｅｓ）、サブマイクロコンピュータ１０５は、押下されたボタンが電源ボタン３０１であるか否かを判断する（Ｂｌｏｃｋ２００７）。Ｂｌｏｃｋ２００７では、サブマイクロコンピュータ１０５は、Ｂｌｏｃｋ２００２と同様に電源ボタン３０１の押下を判断してもよい。
【００２６】
サブマイクロコンピュータ１０５が押下されたボタンが電源ボタン３０１でない（つまり、リモコン３の電源ボタン３０１以外のボタンである）と判断した場合（Ｂｌｏｃｋ２００７、Ｎｏ）、Ｂｌｏｃｋ２００４に戻って、サブマイクロコンピュータ１０５は、押下されたリモコン３の電源ボタン３０１以外のボタンに対応するキーコードをバッファ１０５１に保存する。つまり、バッファ１０５１は、押下された数に対応する数のキーコードを保存する。サブマイクロコンピュータ１０５が押下されたボタンが電源ボタン３０１であると判断した場合（Ｂｌｏｃｋ２００７、Ｙｅｓ）、メインマイクロコンピュータ１０１は、バッファ１０５１に保存されている１つのキーコードに対応するリモコン３の電源ボタン３０１以外のボタンまたは複数個連続するキーコードに対応するリモコン３の電源ボタン３０１以外のボタンの並びが、割り当て設定がなされた割り当てボタンか否かを判断する（Ｂｌｏｃｋ２００８）。なお、Ｂｌｏｃｋ２００７においてサブマイクロコンピュータ１０５が押下されたボタンが電源ボタン３０１であると判断した場合、つまり、一定時間Ｔ以内に電源ボタン３０１が押下されたと判断した場合に、サブマイクロコンピュータ１０５は、動作を停止しているメインマイクロコンピュータ１０１を起動する。さらに、サブマイクロコンピュータ１０５は、この判断に基づいて、バッファ１０５１に保存されている１以上のキーコードをメインマイクロコンピュータ１０１に供給する。したがって、Ｂｌｏｃｋ２００８では、メインマイクロコンピュータ１０１は、サブマイクロコンピュータ１０５から起動命令を受信することで起動し、サブマイクロコンピュータ１０５から供給されたキーコードを解釈する。例えば、メインマイクロコンピュータ１０１は、１以上のキーコードに対応する１つのリモコン３の電源ボタン３０１以外のボタンまたはリモコン３の電源ボタン３０１以外の複数のボタンの並びと、メモリユニット１０２に保存されている割り当て設定それぞれの割り当てボタンとを比較することで、割り当てボタンか否かを判断する。
【００２７】
メインマイクロコンピュータ１０１が割り当てボタンでないと判断した場合（Ｂｌｏｃｋ２００８、Ｎｏ）、メインマイクロコンピュータ１０１は、Ｂｌｏｃｋ２００３で、テレビジョン受信機１をスタンバイ状態から起動状態に遷移させる際に、通常の起動モードでテレビジョン受信機１を起動処理する。
【００２８】
メインマイクロコンピュータ１０１が割り当てボタンであると判断した場合（Ｂｌｏｃｋ２００８、Ｙｅｓ）、メインマイクロコンピュータ１０１は、この割り当てボタンに対応付けられた（設定された）起動モードをメモリユニット１０２から取得する（Ｂｌｏｃｋ２００９）。メインマイクロコンピュータ１０１は、テレビジョン受信機１をスタンバイ状態から起動状態に遷移させる際に、この割り当てボタンに対応付けられた起動モードでテレビジョン受信機１を起動処理する（Ｂｌｏｃｋ２０１０）。つまり、テレビジョン受信機１は、スタンバイ状態から起動状態に遷移する際に、ユーザが所望する起動モードでディスプレイ１１３に映像を表示し、スピーカ１１４から音声を出力する。なお、上述したように割り当てボタンとして複数個連続するリモコン３の電源ボタン３０１以外のボタンの並びも設定できるが、これは、特殊な起動モードの設定を特定のユーザ以外簡単に起動できないようにする役割だけでなく、ユーザ認証の暗証コードの役割を備える。そのため、テレビジョン受信機１は、複数個連続するリモコン３の電源ボタン３０１以外のボタンの押下の検出に基づいてユーザ認証をした後に、割り当てボタンに対応付けられた起動モードでテレビジョン受信機１を起動処理できる。
【００２９】
なお、サブマイクロコンピュータ１０５が一定時間Ｔが経過したと判断した場合（Ｂｌｏｃｋ２００５、Ｙｅｓ）、サブマイクロコンピュータ１０５は、バッファ１０５１に保存しているキーコードを消去（破棄）する（Ｂｌｏｃｋ２０１１）。その後、サブマイクロコンピュータ１０５は、Ｂｌｏｃｋ２００１に戻って、リモコン３のボタンの押下を待つ。Ｂｌｏｃｋ２０１１の処理は、サブマイクロコンピュータ１０５が一定時間Ｔ経過後に電源ボタン３０１が押下されたと判断した場合に、サブマイクロコンピュータ１０５がバッファ１０５１に保存されていたキーコードをメインマイクロコンピュータ１０１に送信してしまうのを防ぐための処理である。なお、サブマイクロコンピュータ１０５は、Ｂｌｏｃｋ２０１１の処理をしなくてもよい。この場合、サブマイクロコンピュータ１０５が一定時間Ｔ経過後に電源ボタン３０１が押下されたと判断した場合に、サブマイクロコンピュータ１０５は、バッファ１０５１に保存されているキーコードをメインマイクロコンピュータ１０１に送信しないようにすればよい。
【００３０】
なお、サブマイクロコンピュータ１０５からメインマイクロコンピュータ１０１へのバッファ１０５１に保存されているキーコードの送信は、サブマイクロコンピュータ１０５から起動命令を受けたメインマイクロコンピュータ１０１からの送信命令によるものであってもよい。
【００３１】
図６は、図５で説明したテレビジョン受信機１の起動処理の一例を説明する図である。ユーザは、好みの起動モードを対応付けた割り当てボタンに設定したリモコン３の電源ボタン３０１以外のボタン（例えばボタン「２」）を押下する。初めに、ユーザが一定時間Ｔ以内に電源ボタン３０１を押下した場合を想定する。メインマイクロコンピュータ１０１は、ボタン「２」が押下されてから一定時間Ｔ以内に電源ボタン３０１が押下された場合、ボタン「２」に対応付けられた起動モードでテレビジョン受信機１を起動する。次に、ユーザが一定時間Ｔ経過後に電源ボタン３０１を押下した場合を想定する。メインマイクロコンピュータ１０１は、一定時間Ｔ経過後に電源ボタン３０１を押下された場合、ボタン「２」に対応付けられた起動モードではなく、ラストの状態の動作モードでスタンバイ状態にあるテレビジョン受信機１を起動する。
【００３２】
なお、図５、６を用いた上記説明では、メインマイクロコンピュータ１０１は、一定時間Ｔを用いて、割り当てボタンに対応付けられた起動モードを用いるか通常の起動モードを用いるか判断しているが、これに限られない。つまり、メインマイクロコンピュータ１０１は、テレビジョン受信機１がスタンバイ状態であって、割り当てボタンの設定がなされたリモコン３の電源ボタン３０１以外のボタンが押下され、その後に電源ボタン３０１が押下された場合は、一定時間Ｔ以内か否かに関わらず、この割り当てボタンに対応付けられた起動モードでスタンバイ状態にあるテレビジョン受信機１を起動するようにしてもよい。
【００３３】
他の実施形態として、ＬＥＤユニット１０６は、サブマイクロコンピュータ１０５の制御の下で、一定時間Ｔのうちリモコン３の電源ボタン３０１以外のボタンが押下されてから電源キーが押下されるまで、または、一定時間Ｔのうち電源キーが押下されない場合にあっては一定時間Ｔが経過するまで、報知するようにしてもよい。例えば、ＬＥＤユニット１０６は、単色のＬＥＤのみを備える場合、テレビジョン受信機１がスタンバイ状態にあるときの動作、及びテレビジョン受信機１が起動状態にあるときの動作と異なる高速点滅などで動作する。例えば、ＬＥＤユニット１０６は、複数色のＬＥＤを備える場合、テレビジョン受信機１がスタンバイ状態にあるときの色、及びテレビジョン受信機１が起動状態にあるときの色と異なる色を点灯する。なお、報知手法は、ユーザにリモコン３の電源ボタン３０１以外のボタンが押下されていることを報知できればよく、ＬＥＤユニット１０６で報知する以外に音声でもよく、限定されない。
【００３４】
他の実施形態として、メインマイクロコンピュータ１０１は、ユーザ入力に基づいて、割り当て設定時にどの割り当てボタンがどのユーザ用のものか対応付けてメモリユニット１０２に保存するようにしてもよい。この場合、メインマイクロコンピュータ１０１は、割り当てボタンに応じた動作モードでテレビジョン受信機１を起動処理した後の視聴履歴（外部機器からの再生履歴も含む）を、その割り当てボタンに対応付けられたユーザの視聴履歴としてメモリユニット１０２に保存できる。メインマイクロコンピュータ１０１は、割り当てボタンの押下に基づくテレビジョン受信機１の起動時に、チャンネルがおまかせ設定になっている場合、割り当てボタンに対応付けられたユーザを特定する。そして、メインマイクロコンピュータ１０１は、特定されたユーザの視聴履歴に応じて、割り当てボタンに対応付けられた起動モードでテレビジョン受信機１を起動処理した日時に最適なチャンネルの番組映像または外部入力の映像をディスプレイ１１３に表示できる。したがって、ユーザは、自身にとって最適な映像（よく見る番組）の表示をテレビジョン受信機１に委ねることができる。
【００３５】
本実施形態によれば、テレビジョン受信機１は、リモコン３に追加のハードウェアリソースを追加することなく、機能拡張を実現できる。さらに、ユーザは、テレビジョン受信機１の起動の指示と同時にユーザの嗜好に応じた状態でテレビジョン受信機１を起動することができるため、スタンバイ状態のテレビジョン受信機１を起動させた後に煩わしい操作をする必要がない。さらに、複数の割り当て設定は、時間帯によって使い分けたり，ユーザによって使い分けたりできるため、ユーザの利便性は向上する。以下に、使い分けの一例を示す。深夜の時間帯には、ユーザは、マナーモードの起動モードが対応付けられた割り当てボタンを押下してテレビジョン受信機１を起動すればよい。ゲームをするときは、ユーザは、ゲームモードの起動モードが対応付けられた割り当てボタンを押下してテレビジョン受信機１を起動すればよい。ニュースを見るときは、ユーザは、そのニュースを放送するチャンネルを設定した起動モードが対応付けられた割り当てボタンを押下してテレビジョン受信機１を起動すればよい。親は、パレンタルロックをＯＦＦに設定した起動モードが対応付けられた割り当てボタンを押下してテレビジョン受信機１を起動すればよい。
【００３６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３７】
１…テレビジョン受信機、２…アンテナ、３…リモコン、１０１…メインマイクロコンピュータ、１０２…メモリユニット、１０３…ＬＡＮ端子、１０４…受光部、１０５…サブマイクロコンピュータ、１０６…ＬＥＤユニット、１０７…チューナ、１０８…ストリームプロセッサ、１０９…第１のＨＤＭＩ端子、１１０…第２のＨＤＭＩ端子、１１１…入力切替部、１１２…映像音声出力部、１１３…ディスプレイ、１１４…スピーカ、３０１…電源ボタン、３０２…チャンネルボタン、１０５１…バッファ、１０５２…タイマー。
【図１】
2014127849.tif 000003
【図２】
2014127849.tif 000004
【図３】
2014127849.tif 000005
【図４】
2014127849.tif 000006
【図５】
2014127849.tif 000007
【図６】
2014127849.tif 000008